(57)【要約】【課題】ランダム再生時においても所望のトラックだけは順番に再生するコンテンツ再生方法及びコンテンツ再生装置を提供する。【解決手段】ＣＤのトラック（楽曲）をランダム再生するときに、予め設定されたトラックをグループ化しておき、再生するトラックを乱数により決定するときには、これらのグループ化したトラックを１つのトラックとみなす。そして、決定されたトラックを再生するときに、グループ化されたトラックの場合は、グループ内のトラックを順番に再生する。これにより、複数のパート（楽章）により構成される楽曲が本来の順番で再生され、１つの楽曲として聴くことができる。また、ライブ録音のＣＤにおいても、トークと楽曲とのつながりが分断されることなく、ライブの雰囲気を感じ取ることができる。【選択図】  図５
2005044418.tif 000002
【特許請求の範囲】
【請求項１】
記録媒体に記録されているコンテンツをランダム再生するコンテンツ再生方法において、
設定されたコンテンツをグループ化しておき、それらのグループ化されたコンテンツを１つのコンテンツとみなして再生の順番を決め、グループ化されたコンテンツを再生するときにはグループ内のコンテンツを順番に再生することを特徴とするコンテンツ再生方法。
【請求項２】
前記グループ化の情報を、コンテンツ再生装置内に記録することを特徴とする請求項１に記載のコンテンツ再生方法。
【請求項３】
前記グループ化の情報を、コンテンツが記録されている記録媒体に記録することを特徴とする請求項１に記載のコンテンツ再生方法。
【請求項４】
コンテンツが記録された記録媒体からコンテンツを読み出すコンテンツ読み出し部と、
前記記録媒体に記録されているコンテンツの情報を表示する表示部と、
操作部と、
前記操作部から出力される信号に応じて前記コンテンツ読み出し部及び前記表示部を制御する制御部とを有し、
前記制御部は、前記操作部を介して指定されたコンテンツをグループ化してその情報を記憶し、
前記記録媒体に記録されているコンテンツのランダム再生を指示されたときに前記グループ化情報を読み出し、それらのグループ化されたコンテンツを１つのコンテンツとみなして再生の順番を決め、グループ化されたコンテンツを再生するときにはグループ内のコンテンツを順番に再生することを特徴とするコンテンツ再生装置。
【請求項５】
コンテンツ及びグループ化の情報が記録された記録媒体から前記コンテンツ及びグループ化の情報を読み出すコンテンツ読み出し部と、
前記記録媒体に記録されているコンテンツの情報を表示する表示部と、
操作部と、
前記操作部から出力される信号に応じて前記コンテンツ読み出し部及び前記表示部を制御する制御部とを有し、
前記制御部は、前記記録媒体に記録されているコンテンツのランダム再生を指示されたときに前記記録媒体から前記グループ化の情報を読み出し、グループ化されたコンテンツを１つのコンテンツとみなして再生の順番を決め、グループ化されたコンテンツを再生するときにはグループ内のコンテンツを順番に再生することを特徴とするコンテンツ再生装置。
【発明の詳細な説明】
【０００１】
【発明の属する技術分野】
本発明は、音楽及び映像等のコンテンツをランダムな順番で再生するコンテンツ再生方法及びコンテンツ再生装置に関する。
【０００２】
【従来の技術】
一般的なＣＤ（Ｃｏｍｐａｃｔ  Ｄｉｓｃ）再生装置では、音楽ＣＤ（以下、単にＣＤという）に収録された楽曲（トラック）をトラック番号順に再生したり、ランダムな順番で再生することができる。以下、ＣＤ等の記録媒体に収録されたコンテンツをランダムな順番で再生することを、ランダム再生という。
【０００３】
通常のＣＤ再生装置では、ランダム再生を開始すると、１番目に再生する楽曲が乱数により決定され、１番目の楽曲の再生が終了すると残りの楽曲のうちから次に再生する楽曲が乱数により決定される。このようにして、１つの楽曲の再生が終了する毎に残りの楽曲のうちから次に再生する楽曲が乱数により決定されて、全ての楽曲の再生が終了すると再生動作を停止する。
【０００４】
次に再生する楽曲を決めるときに再生済みの楽曲を候補から外さないことにより、楽曲を長時間に亘ってランダム再生するようにしたＣＤ再生装置もある。この場合、同じ楽曲が続けて再生されることもあるが、特開２００１−４３６６６号公報には、ランダム再生時に直近に再生された楽曲ほど選択されにくいように重み付けを行うことにより、同じ楽曲を続けて再生する可能性を小さくした再生装置が記載されている。
【０００５】
【特許文献１】
特開２００１−４３６６６号
【０００６】
【発明が解決しようとする課題】
ところで、ＣＤに収録されている楽曲はトラック毎に管理されており、通常は１つのトラックが１つの楽曲に対応している。しかし、クラシック音楽では、複数のパート（楽章）により１つの楽曲が構成されていることが多く、各パートをそれぞれ１つのトラックに収録している。従って、複数の楽曲を収録したクラシック音楽のＣＤをランダム再生すると、複数の楽曲の各パートがランダムな順番で再生されてしまうため、本来の楽曲として成立しなくなってしまう。
【０００７】
また、楽曲の演奏を終えてからアーティストのトークが入り、トーク終了直後に次の楽曲の演奏が始まるようなライブ演奏が収録されたＣＤの場合、トークの区切りをトラックの区切りとしていることが多い。このようなＣＤをランダム再生するとトークと楽曲とのつながりがなくなり、ライブ演奏の雰囲気を感じとれなくなる。
【０００８】
以上から、本発明の目的は、ランダム再生時においても所望のトラックだけは順番に再生するコンテンツ再生方法及びコンテンツ再生装置を提供することである。
【０００９】
【課題を解決するための手段】
上記した課題は、記録媒体に記録されているコンテンツをランダム再生するコンテンツ再生方法において、設定されたコンテンツをグループ化しておき、それらのグループ化されたコンテンツを１つのコンテンツとみなして再生の順番を決め、グループ化されたコンテンツを再生するときにはグループ内のコンテンツを順番に再生することを特徴とするコンテンツ再生方法により解決する。
【００１０】
上記した課題は、コンテンツが記録された記録媒体からコンテンツを読み出すコンテンツ読み出し部と、前記記録媒体に記録されているコンテンツの情報を表示する表示部と、操作部と、前記操作部から出力される信号に応じて前記コンテンツ読み出し部及び前記表示部を制御する制御部とを有し、前記制御部は、前記操作部を介して指定されたコンテンツをグループ化してその情報を記憶し、前記記録媒体に記録されているコンテンツのランダム再生を指示されたときに前記グループ化情報を読み出し、それらのグループ化されたコンテンツを１つのコンテンツとみなして再生の順番を決め、グループ化されたコンテンツを再生するときにはグループ内のコンテンツを順番に再生することを特徴とするコンテンツ再生装置により解決する。
【００１１】
上記した課題は、コンテンツ及びグループ化の情報が記録された記録媒体から前記コンテンツ及びグループ化の情報を読み出すコンテンツ読み出し部と、前記記録媒体に記録されているコンテンツの情報を表示する表示部と、操作部と、前記操作部から出力される信号に応じて前記コンテンツ読み出し部及び前記表示部を制御する制御部とを有し、前記制御部は、前記記録媒体に記録されているコンテンツのランダム再生を指示されたときに前記記録媒体から前記グループ化の情報を読み出し、グループ化されたコンテンツを１つのコンテンツとみなして再生の順番を決め、グループ化されたコンテンツを再生するときにはグループ内のコンテンツを順番に再生することを特徴とするコンテンツ再生装置により解決する。
【００１２】
本発明においては、予め設定されたコンテンツ（音楽及び映像等）をグループ化しておく。そして、ランダム再生時にはグループ化されたコンテンツを１つのコンテンツとみなして再生の順番を決め、グループ化されたコンテンツを再生するときにはグループ内のコンテンツを順番に再生する。従って、ランダム再生時においても、設定されたコンテンツは順番に再生されるので、例えば複数のパート（楽章）により構成される楽曲が本来の順番で再生され、本来の楽曲として成立する。また、ライブ録音等の場合も、トークと楽曲とのつながりが分断されることがなく、ライブの雰囲気を感じ取ることができる。
【００１３】
【発明の実施の形態】
以下、本発明の実施の形態について、添付の図面を参照して説明する。
【００１４】
（第１の実施の形態）
図１は本発明の第１の実施の形態のＣＤ再生装置（コンテンツ再生装置）の構成を示すブロック図である。
【００１５】
図１に示すように、本実施の形態のＣＤ再生装置は、ＣＤ駆動部１１、操作部１２、制御部１３、Ｄ／Ａ（デジタル／アナログ）変換器１４、スピーカー１５及び表示部１６により構成されている。
【００１６】
ＣＤ駆動部１１はＣＤにレーザ光を照射し、反射光を電気信号に変換して出力する。制御部１３はＣＤ駆動部１１を駆動制御するとともに、ＣＤ駆動部１１から出力された電気信号を信号処理してＴＯＣ（Ｔａｂｌｅ  Ｏｆ  Ｃｏｎｔｅｎｔｓ  ）情報やデジタルオーディオ信号を取得する。この制御部１３には、ＣＤから読み出したＴＯＣ情報や後述するトラックグループを記憶するためのメモリ１３ａが設けられている。なお、ＴＯＣ情報はＣＤのリードインエリアに記録されており、ＣＤに収録されているトラックの数、各トラックの開始アドレス及び各トラックの演奏時間等の情報が含まれている。
【００１７】
操作部１２には、当該ＣＤ再生装置を操作するための種々の操作ボタンが設けられている。本実施の形態においては、操作部１２にリモコン送信機及びリモコン受信機が含まれており、ユーザはリモコン送信機によりＣＤ再生装置を操作することが可能である。
【００１８】
図２はリモコン送信機の一例を示す平面図である。この図２に示すように、リモコン送信機２０には、「再生／一時停止」ボタン２１、「トラックアップ」ボタン２２、「トラックダウン」ボタン２３、「停止」ボタン２４、「ランダム再生」ボタン２５、「トラックグループ設定」ボタン２６、「数字」ボタン２７及び「決定」ボタン２８が設けられている。
【００１９】
Ｄ／Ａ変換器１４は、制御部１３からデジタルオーディオ信号を入力し、アナログオーディオ信号に変換して出力する。このＤ／Ａ変換器１４から出力されたアナログオーディオ信号は、アンプ（図示せず）を介してスピーカー１５に送られる。表示部１６は例えば液晶パネルにより構成されている。制御部１３は、表示部１６に再生中の楽曲のトラック番号や演奏時間等の情報を表示する。
【００２０】
上述のように構成されたＣＤ再生装置において、通常の再生モードにおける動作について説明する。
【００２１】
ＣＤ駆動部１１にＣＤが装填されると、制御部１３はＣＤ駆動部１１を制御してＣＤからＴＯＣ情報を読み出し、表示部１６に全トラック数を表示する。この状態でユーザがリモコン送信機２０の「再生／一時停止」ボタン２１を押すと、制御部１３はＣＤ駆動部１１を制御してＣＤの最初のトラックから音楽データを読み出し、デジタルオーディオ信号に変換してＤ／Ａ変換器１４に出力する。Ｄ／Ａ変換器１４は、制御部１３から出力されたデジタルオーディオ信号をアナログオーディオ信号に変換し、アンプを介してスピーカー１５に出力する。
【００２２】
また、制御部１３は再生中の楽曲のトラック番号と、演奏時間（経過時間）とを表示部１６に表示する。このようにして、最初のトラックの再生が終了すると続いて次のトラックの再生が開始され、最後のトラックまでトラック番号順に楽曲が再生される。
【００２３】
なお、ＣＤの再生中に「再生／一時停止」ボタン２１を押すと再生が一時停止され、再度「再生／一時停止」ボタン２１を押すと一時停止が解除される。また、「停止」ボタン２４を押すと再生処理を終了し、「数字」ボタン２７によりトラック番号を指定してから「再生／一時停止」ボタン２４を押すと、指定したトラック番号の楽曲から再生を開始する。更に、「トラックアップ」ボタン２２又は「トラックダウン」ボタン２３を押すと、現在再生中のトラックから次のトラック又は前のトラックにジャンプして、次のトラック又は前のトラックの再生が開始される。
【００２４】
以下、本実施の形態におけるＣＤ再生装置のトラックグループ設定時の動作を、図３のフローチャートを参照して説明する。
【００２５】
まず、ステップＳ１１において、ＣＤ駆動部１１にＣＤが装填されており、ＣＤの再生が停止しているときにリモコン送信機２０の「グループ設定」ボタン２６を押すと、ステップＳ１２に移行する。ステップＳ１２において、制御部１３は表示部１６に、図４（ａ）に示すようなトラックグループ設定画面を表示する。この図４（ａ）に示すように、トラックグループ設定画面には、ＣＤに収録されている全てのトラックのトラック番号（この例では「１」から「１２」まで）と、グループ化するトラック番号を入力するための窓３１とが表示され、最初の窓３１内にカーソルが表示される。
【００２６】
ステップＳ１３において、ユーザは、リモコン送信機２０を使用してグループ化するトラックの番号を選択する。ここでは、トラック３，４，５をグループ化するものとする。この場合、リモコン送信機２０の「３」，「４」，「５」のボタン（数字ボタン２７）を順番に押すことにより、図４（ｂ）に示すように、トラックグループ設定画面の窓３１に「３」、「４」及び「５」の数字が入力される。
【００２７】
ここで、「グループ設定」ボタン２６を押すと、カーソルが次の窓３１に移動し、図４（ｃ）に示すように、次のグループの設定（図４（ｃ）の例ではトラック８及びトラック９のグループ化）が可能になる。
【００２８】
このようにして１又は複数のトラックグループの設定が終了すると、ステップＳ１４に移行して「決定」ボタン２８を押す。これにより、ステップＳ１５に移行して、制御部１３は設定されたトラックグループの情報を、ＣＤから読み出したＴＯＣ情報に関連付けてメモリ１３ａに記憶する。このようにして、ＣＤ再生装置にはＣＤ毎に設定されたトラックグループの情報が記憶される。
【００２９】
次に、本実施の形態のＣＤ再生装置のランダム再生方法について、図５に示すフローチャートを参照して説明する。
【００３０】
まず、ステップＳ２１において、ＣＤ駆動部１１にＣＤを装填した後、ユーザがリモコン送信機２０の「ランダム再生」ボタン２５を押すと、ステップＳ２２に移行する。ステップＳ２２において、制御部１３はＣＤ駆動部１１に装填されたＣＤのＴＯＣ情報がメモリ１３ａに記憶されているか否かを調べる。装填されたＣＤのＴＯＣ情報がメモリ１３ａに記憶されているときは、ステップＳ２３に移行してトラックグループの情報を読み出し、ステップＳ２４に移行する。
【００３１】
一方、ステップＳ２２において装填されたＣＤのＴＯＣ情報がメモリ１３ａに記憶されていないときは、ステップＳ２２からステップＳ２４に直接移行する。
【００３２】
ステップＳ２４では、再生するトラックを乱数により決定する。この場合、例えば、トラック３，４，５がグループ化されているとすると、再生するトラックを決めるときにはこれらのグループを１つのトラックとみなす。
【００３３】
次に、ステップＳ２５に移行し、ステップＳ２４で決定したトラックはグループ化されているか否かを判定する。グループ化されているトラックの場合はステップＳ２６に移行し、グループ内のトラックを設定された順番に再生する。そして、グループ内の全てのトラックの再生が終了すると、ステップＳ２８に移行する。
【００３４】
一方、ステップＳ２５で決定されたトラックがグループされていないと判定した場合は、ステップＳ２５からステップＳ２７に移行して、決定したトラックの再生を行う。そして、当該トラックの再生が終了したら、ステップＳ２８に移行する。
【００３５】
ステップＳ２８では、再生されていないトラックが存在するか否かを判定する。再生されていないトラックが存在する場合はステップＳ２４に戻り、それらのトラックのうちから次に再生するトラックを乱数により決定する。一方、ステップＳ２８で全てのトラックが再生済みであると判定した場合は、ランダム再生処理を終了する。
【００３６】
このようにして、本実施の形態のランダム再生方法では、グループ化されたトラックを１つのトラックとみなすので、ランダム再生にもかかわらず、グループ化されたトラックは順番に再生される。これにより、複数のパート（楽章）により構成される楽曲が本来の順番で再生され、本来の楽曲として鑑賞することができる。また、ライブ録音のＣＤにおいても、トークと楽曲とのつながりが分断されることなく、ライブの雰囲気を感じ取ることができる。
【００３７】
（第２の実施の形態）
図６は本発明の第２の実施の形態の音楽データ記録・再生装置（コンテンツ再生装置）の構成を示すブロック図である。なお、図６において、図１と同一物には同一符号を付してその詳しい説明は省略する。
【００３８】
図６に示すように、本実施の形態の音楽データ記録・再生装置は、ＣＤ駆動部１１、操作部１２、Ｄ／Ａ変換器１４、スピーカー１５及び表示部１６に加えて、ＣＤ−Ｒ（ＣＤ−Ｒｅｃｏｒｄａｂｌｅ  ）にデータを書き込み可能なＣＤ−Ｒ駆動部３３を有している。また、制御部３４には、オーディオ信号をＭＰ３（ＭＰＥＧ  Ａｕｄｉｏ  Ｌａｙｅｒ−３）又はＷＭＡ（Ｗｉｎｄｏｗｓ  Ｍｅｄｉａ  Ａｕｄｉｏ  ）等の符号化技術により符号化して音楽データとするエンコーダ３４ａと、音楽データを復号化してオーディオ信号とするデコーダ３４ｂとが設けられている。
【００３９】
ＣＤ駆動部１１にＣＤを装填して所定の操作を行うと、制御部３４はＣＤ駆動部１１を制御してＣＤからオーディオ信号を読み出し、エンコーダ３４ａで符号化して音楽データを作成する。そして、ＣＤ−Ｒ駆動部３３を制御してＣＤ−Ｒに音楽データを書き込む。１枚のＣＤ−Ｒには約１０枚分のＣＤの楽曲を記録することが可能であり、例えば図７に模式的に示すように、ＣＤ−Ｒの音楽データ記憶領域にＣＤ毎のフォルダを作成して、１つのフォルダの中にＣＤ１枚分の音楽データを収納する。なお、ＣＤＤＢ等の音楽情報データベースによりＣＤのアルバム名及びタイトル名を取得して、フォルダ名をアルバム名に変更し、ファイル名をタイトル名に変更してもよい。
【００４０】
また、本実施の形態においても、ユーザにより所望の音楽データをグループ化することができる。音楽データグループの情報は、図７に示すように、ＣＤ−Ｒに作成した音楽データグループ記憶領域に記録される。グループ化の方法は基本的に第１の実施の形態と同様であるので、ここではグループ化の方法の説明を省略する。なお、グループ化する音楽データは同一のフォルダ内のものに限定されるものではなく、異なるフォルダ内の音楽データをグループ化してもよい。
【００４１】
図８は、ＣＤ−Ｒに記録された音楽データをランダム再生するときの動作を示すフローチャートである。
【００４２】
まず、ステップＳ３１でＣＤ−Ｒ駆動部３３又はＣＤ駆動部１１に音楽データを記録したＣＤ−Ｒを装填し、「ランダム再生」ボタンを押すと、ステップＳ３２に移行する。ステップＳ３２において、制御部３４はＣＤ−Ｒ駆動部３３又はＣＤ駆動部１１を駆動して、ＣＤ−Ｒに書き込まれている音楽データの情報とグループ化の情報とを読み出す。
【００４３】
その後、ステップＳ３３に移行し、再生する音楽データを乱数により決定する。次に、ステップＳ３４に移行し、決定された音楽データがグループ化されているか否かをグループ化情報により調べる。決定された音楽データがグループ化されている場合はステップＳ３５に移行し、グループ内の音楽データを順番に再生する。グループ内の全ての音楽データの再生が終了したら，ステップＳ３７に移行する。
【００４４】
一方、ステップＳ３４で再生する音楽データがグループ化されていない場合は、ステップＳ３６に移行して当該音楽データを再生する。その後、ステップＳ３７に移行する。
【００４５】
ステップＳ３７では、ＣＤ−Ｒに収録されている全ての音楽データを再生したか否かを判定する。全ての音楽データの再生が完了していないときはステップＳ３３に戻り、上記の処理を繰り返す。全ての音楽データの再生が終了していると判断した場合は、ランダム再生処理を終了する。
【００４６】
グループ化の情報を音楽データと同一の記録媒体に記録した本実施の形態においても、第１の実施の形態と同様の効果を得ることができる。なお、上記実施の形態では記録媒体がＣＤ−Ｒの場合について説明したが、ハードディスクドライブ又はメモリカード等の記録媒体に音楽データを記録する場合も、本発明を適用することができることは勿論である。
【００４７】
また、第１及び第２の実施の形態では、いずれも本発明を音楽を再生する装置に適用した場合について説明したが、本発明はこれに限定されず、ＤＶＤ（Ｄｉｇｉｔａｌ  Ｖｅｒｓａｔｉｌｅ  Ｄｉｓｃ）を再生するＤＶＤ再生装置に適用してもよい。例えば、音楽ＤＶＤでは、プロモーション映像が記録されたチャプタと、そのメーキング映像が記録されたチャプタとを有するものがある。プロモーション映像が記録されているチャプタとそのメーキング映像が記録されているチャプタとをグループ化することにより、映像のランダム再生を行っても、それらの映像が連続して再生され、プロモーション映像とメーキング映像とのつながりが分断されることが回避される。
【００４８】
更に、本発明は、ＣＤ又はＤＶＤ再生専用装置だけでなく、汎用コンピュータとソフトウエアとにより構成されるコンテンツ再生装置に適用することもできる。
【００４９】
【発明の効果】
以上説明したように、本発明によれば、予め設定されたコンテンツをグループ化しておき、ランダム再生時にはグループ化されたコンテンツを１つのコンテンツとみなして再生の順番を決め、グループ化されたコンテンツを再生するときにはグループ内のコンテンツを順番に再生する。これにより、ランダム再生時においても、設定されたコンテンツは順番に再生される複数のパート（楽章）により構成される楽曲が本来の順番で再生され、本来の楽曲として成立する。また、ライブ録音等の場合も、トークと楽曲とのつながりが分断されることがなく、ライブの雰囲気を感じ取ることができる。
【図面の簡単な説明】
【図１】図１は、本発明の実施の形態のコンテンツ再生装置（ＣＤ再生装置）の構成を示すブロック図である。
【図２】図２は、同じくそのＣＤ再生装置のリモコン送信機の一例を示す平面図である。
【図３】図３は、第１の実施の形態におけるトラックグループ設定時の動作を示すフローチャートである。
【図４】図４（ａ）〜（ｃ）は、いずれもトラックグループ設定時の画面の例を示す図である。
【図５】図５は、第１の実施の形態のＣＤ再生装置のランダム再生方法を示すフローチャートである。
【図６】図６は、本発明の第２の実施の形態のコンテンツ再生装置（音楽データ記録・再生装置）の構成を示すブロック図である。
【図７】図７は、第２の実施の形態におけるＣＤ−Ｒのデータ構造を示す模式図である。
【図８】図８は、第２の実施の形態のおけるランダム再生時の動作を示すフローチャートである。
【符号の説明】
１１…ＣＤ駆動部、
１２…操作部、
１３，３４…制御部、
１３ａ…メモリ、
１４…Ｄ／Ａ変換器、
１５…スピーカー、
１６…表示部、
２０…リモコン送信機、
２１…「再生／一時停止」ボタン、
２２…「トラックアップ」ボタン、
２３…「トラックダウン」ボタン、
２４…「停止」ボタン、
２５…「ランダム再生」ボタン、
２６…「トラックグループ設定」ボタン、
２７…「数字」ボタン、
２８…「決定」ボタン、
３１…窓、
３３…ＣＤ−Ｒ駆動部、
３４ａ…エンコーダ、
３４ｂ…デコーダ。
【図１】
2005044418.tif 000003
【図２】
2005044418.tif 000004
【図３】
2005044418.tif 000005
【図４】
2005044418.tif 000006
【図５】
2005044418.tif 000007
【図６】
2005044418.tif 000008
【図７】
2005044418.tif 000009
【図８】
2005044418.tif 000010